(57)【要約】【課題】無線信号の中継を行う低消費電力の無線通信装置を提供する。【解決手段】無線通信装置１００と無線通信装置１２０との間の無線通信を中継する無線通信装置１１０であって、無線通信装置１００が無線通信装置１２０宛てに送信したページング通知を受信する受信処理部１６０と、無線通信装置１２０へ前記データ信号を送信する送信処理部１７０と、無線通信装置１２０が、無線通信を常時行うアクティブ状態であるか、又は無線通信を間欠的に行うアイドル状態であるかを記憶する管理テーブル１４７と、無線通信装置１２０が前記アイドル状態であり、かつ無線通信装置１００が前記アイドル状態の無線通信装置１２０宛てに前記データ信号を送信しない所定期間において送信処理部１７０の動作を停止させる制御部１４０と、を備える。【選択図】図１２
2010147976.tif 000002
【特許請求の範囲】
【請求項１】
第１の無線通信装置と第２の無線通信装置との間の無線通信を中継する無線通信装置であって、
前記第１の無線通信装置が前記第２の無線通信装置宛てに送信したデータ信号を受信する受信処理部と、
前記第２の無線通信装置へ前記データ信号を送信する送信処理部と、
前記第２の無線通信装置が、無線通信を常時行うアクティブ状態であるか、又は無線通信を間欠的に行うアイドル状態であるかを記憶する記憶部と、
前記第２の無線通信装置が前記アイドル状態であり、かつ前記第１の無線通信装置が前記アイドル状態の第２の無線通信装置宛てに前記データ信号を送信しない所定期間において前記送信処理部の動作を停止させる制御部と、
を備える無線通信装置。
【請求項２】
前記記憶部は、複数の第２の無線通信装置について前記アクティブ状態であるか、又は前記アイドル状態であるかを記憶し、
前記制御部は、前記複数の第２の無線通信装置のすべてが前記アイドル状態の場合に、前記所定期間において前記送信処理部の動作を停止させることを特徴とする請求項１に記載の無線通信装置。
【請求項３】
前記制御部は、前記アイドル状態である前記第２の無線通信装置へ前記データ信号を送信可能な所定の通信期間及び前記通信期間の前に付加されるオフセット期間を有する動作期間を決定し、前記動作期間以外で前記送信処理部の動作を停止させることを特徴とする請求項１に記載の無線通信装置。
【請求項４】
前記制御部は、前記第１の無線通信装置から受信した複数のデータ信号を統合し、前記アイドル状態である前記第２の無線通信装置へ前記データ信号を送信可能な所定の複数のフレームのうち最後のフレームと、前記最後のフレームの前に付加されるオフセット期間とを有する動作期間を決定し、前記動作期間以外で前記送信処理部の動作を停止させ、
前記送信処理部は、前記統合されたデータ信号を前記最後のフレームで送信することを特徴とする請求項１に記載の無線通信装置。
【請求項５】
前記記憶部は、前記第２の無線通信装置を中継対象とするか否かを記憶し、
前記制御部は、前記アイドル状態であり、かつ前記中継対象である前記第２の無線通信装置へ前記データ信号を送信可能な所定の通信期間及び前記通信期間の前に付加されるオフセット期間を有する動作期間を決定し、前記動作期間以外で前記送信処理部の動作を停止させることを特徴とする請求項１に記載の無線通信装置。
【請求項６】
前記データ信号には、前記第２の無線通信装置に対して応答の送信を要求する応答要求又は応答の送信を要求しない要求無しが動作指定として記載され、
前記制御部は、前記動作指定が応答要求であるデータ信号を送信した第２の無線通信装置からの応答を検出できなかった場合、当該第２の無線通信装置を中継対象から外すことを特徴とする請求項５に記載の無線通信装置。
【請求項７】
前記データ信号には、前記第２の無線通信装置に対して応答の送信を要求する応答要求又は応答の送信を要求しない要求無しが動作指定として記載され、
前記制御部は、第２の無線通信装置へ送信された前記動作指定が応答要求である第１のデータ信号に対する応答を検出できない時、当該第２の無線通信装置についてタイマを起動し、前記タイマの起動後に、当該第２の無線通信装置へ送信された前記動作指定が応答要求である第２のデータ信号に対する応答を検出できず、かつ前記タイマの値が所定値以下の場合に当該第２の無線通信装置を中継対象から外すことを特徴とする請求項５に記載の無線通信装置。
【請求項８】
前記制御部は、前記第１の無線通信装置から受信した前記データ信号の宛先となる第２の無線通信装置を確認し、複数回連続して前記データ信号の宛先となった第２の無線通信装置を中継対象に含めることを特徴とする請求項５に記載の無線通信装置。
【請求項９】
前記制御部は、
前記アイドル状態である前記第２の無線通信装置へ前記データ信号を送信可能な所定の通信期間及び前記通信期間の前に付加される第１のオフセット期間を有する第１の動作期間と、前記通信期間、前記通信期間の前に付加される第２のオフセット期間、及び前記通信期間の後に付加される第３のオフセット期間を有する第２の動作期間と、を決定し
前記第１の動作期間以外で前記送信処理部の動作を停止させ、前記第２の動作期間以外で前記受信処理部の動作を停止させることを特徴とする請求項１に記載の無線通信装置。
【請求項１０】
前記データ信号には、前記第２の無線通信装置に対して応答の送信を要求する応答要求又は応答の送信を要求しない要求無しが動作指定として記載され、
前記第３のオフセット期間は、前記動作指定が応答要求であるデータ信号が前記第２の無線通信装置へ送信されたフレームの後に付加されることを特徴とする請求項９に記載の無線通信装置。
【請求項１１】
前記記憶部は、前記第２の無線通信装置を中継対象とするか否かを記憶し、
前記制御部は、前記アイドル状態であり、かつ前記中継対象である前記第２の無線通信装置へ前記データ信号を送信可能な所定の通信期間及び前記通信期間の前に付加される第１のオフセット期間を有する第１の動作期間と、前記通信期間、前記通信期間の前に付加される第２のオフセット期間、及び前記通信期間の後に付加される第３のオフセット期間を有する第２の動作期間と、を決定し、前記第１の動作期間以外で前記送信処理部の動作を停止させ、前記第２の動作期間以外で前記受信処理部の動作を停止させることを特徴とする請求項１に記載の無線通信装置。
【請求項１２】
第１の無線通信装置と第２の無線通信装置との間の無線通信を中継する無線通信装置の制御方法であって、
前記第２の無線通信装置が、無線通信を常時行うアクティブ状態であるか、又は無線通信を間欠的に行うアイドル状態であるかを記憶し、
前記第２の無線通信装置が前記アイドル状態であり、かつ前記第１の無線通信装置が前記アイドル状態の第２の無線通信装置宛てに前記データ信号を送信しない所定期間において、前記第２の無線通信装置への前記データ信号の送信を行う送信処理部の動作を停止させる、
無線通信装置の制御方法。
【請求項１３】
前記アイドル状態である前記第２の無線通信装置へ前記データ信号を送信可能な所定の通信期間及び前記通信期間の前に付加されるオフセット期間を有する動作期間を決定し、  前記動作期間以外で前記送信処理部の動作を停止させることを特徴とする請求項１２に記載の無線通信装置の制御方法。
【請求項１４】
前記第２の無線通信装置が中継対象であるか否か判定し、
前記アイドル状態であり、かつ前記中継対象である前記第２の無線通信装置へ前記データ信号を送信可能な所定の通信期間及び前記通信期間の前に付加されるオフセット期間を有する動作期間を決定し、
前記動作期間以外で前記送信処理部の動作を停止させることを特徴とする請求項１２に記載の無線通信装置の制御方法。
【請求項１５】
前記データ信号には、前記第１の無線通信装置により、前記第２の無線通信装置に対して応答の送信を要求する応答要求又は応答の送信を要求しない要求無しが動作指定として記載されており、
前記動作指定が応答要求であるデータ信号が送信された第２の無線通信装置からの応答の有無を検出し、
応答を検出できなかった場合、当該第２の無線通信装置を中継対象から外すことを特徴とする請求項１４に記載の無線通信装置の制御方法。
【請求項１６】
前記アイドル状態である前記第２の無線通信装置へ前記データ信号を送信可能な所定の通信期間及び前記通信期間の前に付加される第１のオフセット期間を有する第１の動作期間を決定し、
前記通信期間、前記通信期間の前に付加される第２のオフセット期間、及び前記通信期間の後に付加される第３のオフセット期間を有する第２の動作期間を決定し、
前記第１の動作期間以外で前記送信処理部の動作を停止させ、
前記第２の動作期間以外で前記第１の無線通信装置からのデータ信号の受信を行う受信処理部の動作を停止させることを特徴とする請求項１２に記載の無線通信装置の制御方法。
【発明の詳細な説明】
【技術分野】
【０００１】
本発明は、無線通信装置及びその制御方法に関するものである。
【背景技術】
【０００２】
無線通信には、送信装置が送信した無線信号が無線通信路を介して受信装置に到来する際に、当該送信装置と受信装置との距離、すなわち通信距離に応じて、送信された無線信号のエネルギーが減少するという特徴がある。これは伝搬ロスと称される。この伝搬ロスのため、通信距離が長い場合などにおいては、受信装置に到来した無線信号のエネルギーが不足し、正常に受信できない、または、伝送速度が低下するなどの影響が生じ得る。
【０００３】
このような影響を回避する技術の１つとして、中継（リレー）通信技術が知られている。これは、第１の無線通信装置と第３の無線通信装置の間の無線通信を、第２の無線通信装置が中継するものである。より具体的には、第１の無線通信装置が送信した無線信号を、一旦、第２の無線通信装置が受信し、続いて、第２の無線通信装置が当該無線信号を送信し、第３の無線通信装置がこの無線信号を受信する。これにより、各無線通信装置間の通信距離が短縮し、結果として、上記のような影響が低減され、第３の無線通信装置が受信に失敗する確率を低減でき、第１の無線通信装置と第３の無線通信装置間の無線通信の伝送速度の低下を防ぐことができる。
【０００４】
一般に、セルラーシステム等の無線通信システムでは、前記第３の無線通信装置は移動無線通信装置であるため、待ち受け（ページング）処理による移動無線通信装置の低消費電力化が図られている。各移動無線通信装置は、第１の無線通信装置から当該装置に対して無線通信が行われる可能性がある予め定められた期間では、当該装置の各部を動作させ、これ以外の期間では、当該装置の各部の動作を停止させることで、消費電力を削減している（例えば非特許文献１参照）。
【０００５】
この時、第２の無線通信装置は、第３の無線通信装置（移動無線通信装置）に対して第１の無線通信装置が送信する無線信号を中継する役割を担う。従って、第２の無線通信装置は第１の無線通信装置と同様の動作をすることとなる。
【０００６】
このように、上記した従来の手法は、第３の無線通信装置（移動無線通信装置）の低消費電力化を実現するものであり、第１の無線通信装置や第２の無線通信装置に対する低消費電力化までは考慮されていない。
【０００７】
しかし、近年求められている電力利用効率の向上並びに環境負荷低減の観点から考えると、特に、第２の無線通信装置については、常に動作していることは必ずしも好ましくなく、第３の無線通信装置と同様に消費電力を削減することが求められている。
【非特許文献１】３ＧＰＰ  ＴＳ  ３６．３０４  ｖ８．３．０（２００８−０９）
【発明の開示】
【発明が解決しようとする課題】
【０００８】
本発明は、無線信号の中継を行う低消費電力の無線通信装置及びその制御方法を提供することを目的とする。
【課題を解決するための手段】
【０００９】
本発明の一態様による無線通信装置は、第１の無線通信装置と第２の無線通信装置との間の無線通信を中継する無線通信装置であって、前記第１の無線通信装置が前記第２の無線通信装置宛てに送信したデータ信号を受信する受信処理部と、前記第２の無線通信装置へ前記データ信号を送信する送信処理部と、前記第２の無線通信装置が、無線通信を常時行うアクティブ状態であるか、又は無線通信を間欠的に行うアイドル状態であるかを記憶する記憶部と、前記第２の無線通信装置が前記アイドル状態であり、かつ前記第１の無線通信装置が前記アイドル状態の第２の無線通信装置宛てに前記データ信号を送信しない所定期間において前記送信処理部の動作を停止させる制御部と、を備えるものである。
【００１０】
本発明の一態様による無線通信装置の制御方法は、第１の無線通信装置と第２の無線通信装置との間の無線通信を中継する無線通信装置の制御方法であって、前記第２の無線通信装置が、無線通信を常時行うアクティブ状態であるか、又は無線通信を間欠的に行うアイドル状態であるかを記憶し、前記第２の無線通信装置が前記アイドル状態であり、かつ前記第１の無線通信装置が前記アイドル状態の第２の無線通信装置宛てに前記データ信号を送信しない所定期間において、前記第２の無線通信装置への前記データ信号の送信を行う送信処理部の動作を停止させるものである。
【発明の効果】
【００１１】
本発明によれば、無線信号の中継を低消費電力で行うことができる。
【発明を実施するための最良の形態】
【００１２】
以下、本発明の実施の形態を図面に基づいて説明する。
【００１３】
（第１の実施形態）図１に本発明の第１の実施形態に係る無線通信システムの概略構成を示す。無線通信システムは無線通信装置１００、１１０、１２０、及び１３０を備える。無線通信装置１００は、無線通信エリア１０１内の無線通信装置１１０、１３０と、それぞれ無線通信リンクＬ１、Ｌ３を介して無線通信を行う。また、無線通信装置１１０は、無線通信エリア１１１内の無線通信装置１２０と、無線通信リンクＬ２を介して無線通信を行う。例えば、無線通信装置１００（基地局）が無線通信装置１２０（移動端末局）へデータ送信を行う場合、当該データを無線通信装置１１０が中継する。図１では、無線通信システムは４つの無線通信装置で構成される例を示すが、無線通信装置の数はこれに限られることなく、任意の数にて構成することが可能である。
【００１４】
図２に通信装置１１０のブロック構成を示す。なお、通信装置１００、１２０、１３０は通信装置１１０と同様の構成となっているため、説明を省略する。
【００１５】
通信装置１１０は、制御部１４０、無線通信処理部１５０、及びアンテナ１８０を備える。無線通信処理部１５０は無線受信処理部１６０及び無線送信処理部１７０を有する。無線受信処理部１６０は、受信部１６１、Ａ／Ｄ変換部１６２、復調部１６３、復号部１６４、及び誤り検出部１６５を含む。無線送信処理部１７０は、誤り検出符号付加部１７１、符号化部１７２、変調部１７３、Ｄ／Ａ変換部１７４、及び送信部１７５を含む。
【００１６】
制御部１４０は、無線通信処理部１５０を構成する各部の動作を制御すると共に、送信すべきデータを誤り検出符号付加部１７１に与える。
【００１７】
誤り検出符号付加部１７１は、制御部１４０から与えられたデータに対して、ＣＲＣ符号等の誤り検出符号を付加し、これを符号化部１７２に与える。
【００１８】
符号化部１７２は、誤り検出符号付加部１７１から与えられたデータに対して、所定の符号化方式及び符号化率により誤り訂正符号化を行い、送信符号化データを生成する。
【００１９】
変調部１７３は、符号化部１７２により生成された送信符号化データに対して、所定の変調方式により変調を行い、送信信号を生成する。
【００２０】
Ｄ／Ａ変換部１７４は、変調部１７３により生成された送信信号をデジタル−アナログ変換して、送信アナログ信号を生成する。
【００２１】
送信部１７５は、Ｄ／Ａ変換部１７４により生成された送信アナログ信号に対して、直交変調、アップコンバート、帯域制限、電力増幅等の所定の送信処理を行い、無線信号を生成する。送信部１７５により生成された無線信号はアンテナ１８０から送信される。
【００２２】
受信部１６１は、アンテナ１８０によって受信された無線信号に対して、電力増幅、帯域制限、ダウンコンバート、直交復調等の所定の受信処理を行い、受信アナログ信号を生成する。
【００２３】
Ａ／Ｄ変換部１６２は、受信部１６１により生成された受信アナログ信号をアナログ−デジタル変換して、受信信号を生成する。
【００２４】
復調部１６３は、Ａ／Ｄ変換部１６２により生成された受信信号に対して、所定の変調処理に対応する復調方法を用いて復調処理を行い、受信符号化データを生成する。
【００２５】
復号部１６４は、復調部１６３により生成された受信符号化データに対して、所定の符号化方式及び符号化率に対応する復号方法により復号化を行い、受信データを生成する。
【００２６】
誤り検出部１６５は、復号部１６４により生成された受信データに対して誤り検出を行い、誤り検出結果を制御部１４０へ通知する共に、誤りなく受信されたデータを制御部１４０に与える。
【００２７】
図３に制御部１４０のブロック構成を示す。制御部１４０は、動作モード制御部１４１、低消費電力モード制御部１４２、データ処理部１４３、データ生成部１４４、クロック制御部１４５、電源制御部１４６、及び管理テーブル１４７を有する。
【００２８】
動作モード制御部１４１は、管理テーブル１４７を参照して当該無線通信装置の動作モードを制御する。ここで、動作モードには、常に無線通信処理部１５０を動作させる「通常モード」と、無線送信処理部１７０や無線受信処理部１６０を間欠的に動作させる「低消費電力モード」とがある。
【００２９】
低消費電力モード制御部１４２は、動作モードが低消費電力モードである場合に、無線送信処理部１７０や無線受信処理部１６０の間欠動作を制御する。動作モード制御部１４１及び低消費電力モード制御部１４２の動作の詳細は後述する。
【００３０】
データ処理部１４３は、誤り検出部１６５から与えられたデータを処理する。具体的には、後述するページング通知が入力された際に、当該ページング通知の対象となる無線通信装置の識別子や動作指定（アクションコード）などを確認する。
【００３１】
データ生成部１４４は、上位レイヤＩ／Ｆから入力された送信すべきデータを誤り検出符号付加部１７１に与える。またデータ生成部１４４は、自らも送信すべきデータを生成して、誤り検出符号付加部１７１に与え得る。
【００３２】
クロック制御部１４５は、無線送信処理部１７０や無線受信処理部１６０を構成する各部に対するクロックの供給を制御する。例えば、クロック制御部１４５は、無線送信処理部１７０や無線受信処理部１６０を構成する各部に対して、動作期間ではクロックを供給し、動作停止期間ではクロックの供給を停止することで、間欠動作を実現する。
【００３３】
電源制御部１４６は、無線送信処理部１７０や無線受信処理部１６０を構成する各部に対する電源の供給を制御する。例えば、電源制御部１４６は、無線送信処理部１７０や無線受信処理部１６０を構成する各部に対して、動作期間では電源を供給し、動作停止期間では電源の供給を停止することで、間欠動作を実現する。
【００３４】
図４に管理テーブル１４７の構成例を示す。管理テーブル１４７は、管理対象となる無線通信装置の識別子（Ｕｓｅｒ  ＩＤ）と、当該無線通信装置の動作状態（Ｓｔａｔｕｓ）を記憶する。管理対象の無線通信装置については後述する。無線通信装置の動作状態にはアクティブ（Ａｃｔｉｖｅ）状態と、アイドル（Ｉｄｌｅ）状態とがある。
【００３５】
ここで、アクティブ状態とは、管理対象の無線通信装置が無線通信装置１００との間でデータの送受信を行っている状態をいう。また、アイドル状態とは、管理対象の無線通信装置が、無線通信装置１００との間でデータの送受信を行っておらず、低消費電力で動作している状態をいう。
【００３６】
一般に、セルラーシステム等の無線通信システムでは、無線通信装置１２０は移動無線通信装置であるため、待ち受け（ページング）処理による移動無線通信装置の低消費電力化が図られている。ページング処理では、各移動無線通信装置は無線通信装置１００より当該装置に対する無線通信が行われる可能性がある予め定められた期間で当該装置の各部を動作させ、これ以外の期間では、当該装置の各部の動作を停止させることで消費電力を削減している。このような、装置の各部の動作を停止させている状態がアイドル状態である。
【００３７】
管理テーブル１４７は、制御部１４０の様々な動作により更新される。例えば、データ処理部１４３が、入力されたデータを確認した際に、当該データに管理対象の無線通信装置の動作状態を変更する要求が含まれている場合、管理テーブル１４７に記憶されている当該無線通信装置の動作状態が変更（更新）される。また、基地局（無線通信装置１００）により、明示的に、又は暗示的に、新たな無線通信装置が管理対象となることを通知された場合、管理テーブル１４７には、当該無線通信装置が通知された動作状態として登録される。さらに、基地局（無線通信装置１００）により、明示的に、又は暗示的に、管理対象の無線通信装置が管理対象外となることを通知された場合、管理テーブル１４７から当該無線通信装置が削除される。
【００３８】
アイドル状態にある無線通信装置１２０は、所定の期間、無線通信装置１００が送信した無線信号の受信を試みる。この無線信号は、当該無線通信装置１２０に対して送信すべきデータが存在するか否かを示すデータであり、一般に、当該データはページング通知と称される。従って、無線通信装置１２０は、所定の期間、上記したページング通知を受信するよう動作する。
【００３９】
ページング通知の送信例を図５に示す。図５は、複数の無線通信装置（基地局）１００がグループ化されたページンググループを示す。このページンググループ内では、異なる無線通信エリア１０１内であっても、常に同一のページング通知が送信される。これは、ページングの通知は、無線通信装置１００の単位ではなく、ページンググループ単位にて管理されることを意味している。これにより、アイドル状態の無線通信装置（移動無線通信装置）１２０は、同一のページンググループに属する無線通信装置１００の通信エリア１０１内を自由に往来することができる。
【００４０】
無線通信装置１１０が管理対象とする無線通信装置は、無線通信エリア１１１内の無線通信装置１２０、及び同一のページンググループに属する無線通信装置１００の通信エリア１０１内に存在するアイドル状態の無線通信装置１２０となる。
【００４１】
次に、ページング通知の送信方法を図６を用いて説明する。図６（ａ）は、ページンググループ内で共通のページング通知周期が予め定められており、当該ページンググループに属する無線通信装置１００は、当該周期毎に、予め定められた数のフレーム内にてページング通知を送信することが可能である。
【００４２】
従って、無線通信装置１００から無線通信装置１２０に対して、ページング通知を送信する可能性がある期間と、ページング通知を送信しない期間とに区別される。無線通信装置１２０は、前者の期間にてページング通知の有無を確認すればよい。
【００４３】
図６（ｂ）は、無線通信装置１２０毎にページング通知周期及びページング通知フレームが予め定められており、同一のページンググループに属する無線通信装置１００は、当該フレーム毎に、所定の無線通信装置１２０に対してページング通知を送信することが可能である。
【００４４】
従って、無線通信装置１２０毎に、無線通信装置１００から無線通信装置１２０に対して、ページング通知を送信する可能性がある期間と、ページング通知を送信しない期間とに区別される。無線通信装置１２０は、それぞれの前者の期間にてページング通知の有無を確認すればよい。
【００４５】
続いて、本実施形態に係る無線通信システムにおけるフレームフォーマットについて説明する。図７に示すように、フレームフォーマットは、所定の長さのフレームを単位に構成されており、当該フレームは、無線通信装置１００から無線通信装置１２０に対するデータ伝送に対応するダウンリンクサブフレーム（Ｄｏｗｎｌｉｎｋ  Ｓｕｂｆｒａｍｅ）と、無線通信装置１２０から無線通信装置１００に対するデータ伝送に対応するアップリンクサブフレーム（Ｕｐｌｉｎｋ  Ｓｕｂｆｒａｍｅ）とに分けられる。それぞれのサブフレームは、無線通信リンクＬ２、Ｌ３に適用されるダイレクトスロット（Ｄｉｒｅｃｔ  Ｓｌｏｔ）と、無線通信リンクＬ１、Ｌ２に適用されるリレースロット（Ｒｅｌａｙ  Ｓｌｏｔ）とに分けられる。
【００４６】
図１に示す無線通信装置１００から無線通信装置１１０の中継処理を介して無線通信装置１２０に対してページング通知を行う方法の一例を図８に示すフレーム構成及び図９に示すシーケンス図を用いて説明する。
【００４７】
まず、無線通信装置１００は、ページング通知の送信先である無線通信装置１２０に対して、当該ページング通知が送信されるべきフレームよりＭフレーム（Ｍは１以上任意の自然数）前に、ダウンリンクサブフレームのリレースロットを用いて、当該ページング通知を無線通信装置１１０に対して送信する。
【００４８】
無線通信装置１１０は、受信した無線信号を復元すると共に、送信する無線信号の再構成などの中継処理を行い、当該ページング通知が送信されるべきフレームにて、ダウンリンクサブフレームのダイレクトスロットを用いて、当該ページング通知を無線通信装置１２０に対して送信する。
【００４９】
なお、この際、当該ページング通知には報知情報ＩＤ（Ｂ＿ＩＤ）が付与されている。また、当該ページング通知には、無線通信装置１２０の識別子及び動作指定（アクションコード）情報が含まれている。動作指定とは、当該ページング通知を受けた無線通信装置１２０が取るべき動作を指定するものであり、例えば、ページング応答の要求、同期信号送信の要求、要求なし、などの動作が指定されるものである。
【００５０】
当該ページング通知を受信した無線通信装置１２０は、当該ページング通知に自己の無線通信装置の識別子が含まれるか否かを確認し、含まれている場合には、その動作指定を確認し、指定された動作を実行する。
【００５１】
例えば、動作指定によりページング応答の送信が要求されている場合、無線通信装置１２０は、後続のフレームにて、無線通信装置１１０に対して、アップリンクサブフレームのダイレクトスロットにてページング応答を送信する。これを受けた無線通信装置１１０は、さらに後続のフレームにて、無線通信装置１００に対して、アップリンクサブフレームのリレースロットにて当該ページング応答を中継する。
【００５２】
続いて、動作モード制御部１４１の動作を図１０に示すフローチャートを用いて説明する。動作モード制御部１４１は、その理由の如何によらず、管理テーブル１４７が更新された際に動作するものである。
【００５３】
（ステップＳ１０１）動作モード制御部１４１が、管理テーブル１４７を参照する。
【００５４】
（ステップＳ１０２）動作モード制御部１４１が、動作状態がアクティブ状態である管理対象の無線通信装置１２０が存在するか否かを確認する。アクティブ状態の無線通信装置が存在する場合はステップＳ１０３へ進み、存在しない場合はステップＳ１０４へ進む。
【００５５】
（ステップＳ１０３）動作モード制御部１４１が、動作モードとして通常モードを選択する。
【００５６】
（ステップＳ１０４）動作モード制御部１４１が、動作モードとして低消費電力モードを選択する。
【００５７】
続いて、低消費電力モード制御部１４２の動作を、図１１に示すフローチャート及び図１２に示すタイムチャートを用いて説明する。低消費電力モード制御部１４２は、動作モード制御部１４１が低消費電力モードを選択した場合（図１０のステップＳ１０４）に、動作を開始する。
【００５８】
なお、図１２（ａ）は図６（ａ）で説明したページング通知方法に対応するものであり、図１２（ｂ）は図６（ｂ）で説明したページング通知方法に対応するものである。
【００５９】
（ステップＳ１１１）低消費電力モード制御部１４２が、動作パラメータＴｓｔａｒｔ、Ｔｉｎｔを決定する。
【００６０】
図１２（ａ）に示す例では、Ｔｓｔａｒｔは、ページング通知を送信する可能性がある予め定められた複数のフレーム（ページング通知が送信可能な通信期間）における先頭のフレームを示しており、Ｔｉｎｔは、予め定められたページング通知の周期を示している。
【００６１】
図１２（ｂ）に示す例では、Ｔｓｔａｒｔは、それぞれの無線通信装置１２０におけるページング通知フレームを示しており、Ｔｉｎｔは、それぞれの無線通信装置１２０毎に予め定められたページング通知の周期を示している。
【００６２】
（ステップＳ１１２）低消費電力モード制御部１４２が、動作パラメータΔＴ１を決定する。ΔＴ１は、無線送信処理部１７０の間欠動作中の動作期間を示す。
【００６３】
図１２（ａ）に示す例では、ΔＴ１として、ページング通知を送信する可能性がある予め定められた複数のフレーム及び当該複数のフレームの先頭のフレームより前に付加するオフセット（オフ状態からオン状態への移行に要する期間）の期間が定義されている。
【００６４】
図１２（ｂ）に示す例では、複数の無線通信装置１２０に共通のΔＴ１を決定しているが、無線通信装置１２０毎に異なるΔＴ１を決定しても良い。
【００６５】
（ステップＳ１１３）低消費電力モード制御部１４２が、無線送信処理部１７０の間欠動作制御を開始する。間欠動作制御とは、無線送信処理部１７０のオン状態とオフ状態を制御するものであり、オン状態では、無線送信処理部１７０に対してクロック及び電源の供給を行うが、オフ状態では、無線送信処理部１７０に対してクロック及び電源の供給を停止するものである。
【００６６】
（ステップＳ１１４）低消費電力モード制御部１４２が、動作モード制御部１４１によって動作モードが低消費電力モードから通常モードに移行すると決定されたか否か監視する。通常モードへ移行すると決定された場合は処理を終了する。
【００６７】
このような動作を行うことで、図１２（ａ）に示す例では、無線通信装置は、Ｔｉｎｔ毎に、Ｔｓｔａｒｔフレームの所定のオフセット期間前に無線送信処理部１７０をオン状態とし、ページング通知を送信する可能性がある予め定められた複数のフレーム期間だけオン状態を継続するとともに、その他の期間では無線送信処理部１７０をオフ状態とする。
【００６８】
また、図１２（ｂ）に示す例では、無線通信装置は、管理テーブル１４７に記憶されているそれぞれの無線通信装置１２０のＴｉｎｔ毎に、Ｔｓｔａｒｔフレームの所定のオフセット期間前に無線送信処理部１７０をオン状態とし、ページング通知フレーム期間だけオン状態を継続すると共に、その他の期間では無線送信処理部１７０をオフ状態とする。
【００６９】
上述のように、低消費電力モードでは、ページング通知を中継処理する際に無線信号を送信する可能性があるが、ページング通知を中継処理する可能性がある期間は予め定められていることから、その他の期間では無線信号を送信することがないため、当該期間に無線送信処理部１７０へのクロック供給や電源供給を停止することにより、当該無線通信装置の消費電力を低減することが可能になる。
【００７０】
このように、本実施形態による無線通信装置は、無線信号の中継処理を低消費電力で行うことができる。
【００７１】
（第２の実施形態）本発明の第２の実施形態に係る無線通信装置は図２及び図３に示す上記第１の実施形態に係る無線通信装置と同様の構成であるので図示を省略する。但し、本実施形態では、無線通信装置１１０のデータ生成部１４４は、無線通信装置１００から送信された複数のページング通知をデータ処理部１４３から取得し、当該複数のページング通知を統合して、ページング通知を再構成することができる。
【００７２】
本実施形態による制御部１４０の低消費電力モード時の動作を、図１３に示すフローチャート及び図１４に示すタイムチャートを用いて説明する。なお、図１４は図６（ａ）で説明したページング通知方法に対応する例を示す。
【００７３】
（ステップＳ２０１）低消費電力モード制御部１４２が、動作パラメータＴｓｔａｒｔ、Ｔｉｎｔを決定する。
【００７４】
図１４に示す例では、Ｔｓｔａｒｔは、ページング通知を送信する可能性がある予め定められた複数のフレームにおける先頭のフレームを示しており、Ｔｉｎｔは、予め定められたページング通知の周期を示している。
【００７５】
（ステップＳ２０２）低消費電力モード制御部１４２が、動作パラメータΔＴ１を決定する。ΔＴ１は、無線送信処理部１７０の間欠動作中の動作期間を示す。
【００７６】
図１４に示す例では、ΔＴ１として、ページング通知を送信する可能性がある予め定められた複数のフレームの最後のフレーム及び当該フレームより前に付加するオフセットの期間が定義されている。
【００７７】
（ステップＳ２０３）低消費電力モード制御部１４２が、無線送信処理部１７０の間欠動作制御を開始する。
【００７８】
（ステップＳ２０４）データ生成部１４４が、無線通信装置１００から送信された複数のページング通知をデータ処理部１４３から取得する。
【００７９】
（ステップＳ２０５）データ生成部１４４が、ステップＳ２０４で取得した複数のページング通知を統合する。
【００８０】
（ステップＳ２０６）ステップＳ２０５で統合されたページング通知が所定のフレームで無線通信装置１２０へ送信される。なお、図１４に示す例では、所定のフレームとは、予め定められた複数のフレームの最後のフレームである。
【００８１】
（ステップＳ２０７）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ２０４に戻る。ステップＳ２０４〜Ｓ２０６の処理はＴｉｎｔ毎に繰り返される。
【００８２】
このような動作を行うことで、図１４に示す例では、Ｔｉｎｔ毎にページング通知を送信する可能性がある予め定められた複数のフレームの最後のフレーム及び所定のオフセット期間のみ無線送信処理部１７０をオン状態とし、その他の期間では無線送信処理部１７０をオフ状態とする。
【００８３】
上述のように、低消費電力モードでは複数のフレームにてページング通知を中継処理するために無線信号を送信する可能性があるが、本動作例では、中継するページング通知を統合し１つのフレームにて中継処理を行うため、その他の期間では無線送信処理部１７０へのクロック供給や電源供給を停止することができる。図１２と図１４を比較すると明らかなように、本実施形態は、上記第１の実施形態よりも無線送信処理部１７０をオフ状態とする時間を長くとることができる。
【００８４】
このように、本実施形態による無線通信装置は、無線信号の中継処理を上記第１の実施形態よりもさらに低消費電力で行うことができる。
【００８５】
（第３の実施形態）図１５に本発明の第３の実施形態に係る無線通信装置のブロック構成を示す。本実施形態に係る無線通信装置は、図３に示す上記第１の実施形態に係る無線通信装置の制御部１４０にさらに管理テーブル１４８を設けた構成となっている。管理テーブル１４８以外の構成は上記第１の実施形態と同様であるため、説明を省略する。
【００８６】
図１６に管理テーブル１４８の構成例を示す。管理テーブル１４８は、管理対象となる無線通信装置の識別子（Ｕｓｅｒ  ＩＤ）と、当該無線通信装置に対してページング通知の中継処理を行うか否かを示すフラグ（Ｆｌａｇ）を記憶する。なお、管理テーブル１４８は後述する更新処理により更新される。
【００８７】
本実施形態による無線通信装置の低消費電力モード時の動作を図１７に示すフローチャート及び図１８に示すタイムチャートを用いて説明する。なお、図１７及び図１８は、図６（ａ）で説明したページング通知方法に対応する例を示す。
【００８８】
（ステップＳ３０１）低消費電力モード制御部１４２が、動作パラメータＴｓｔａｒｔ、Ｔｉｎｔを決定する。図１８に示す例では、Ｔｓｔａｒｔは、ページング通知を送信する可能性がある予め定められた複数のフレームにおける先頭のフレームを示しており、Ｔｉｎｔは、予め定められたページング通知の周期を示している。
【００８９】
（ステップＳ３０２）低消費電力モード制御部１４２が、無線送信処理部１７０の間欠動作制御を開始する。
【００９０】
（ステップＳ３０３）低消費電力モード制御部１４２が、無線通信装置１００から送信されたページング通知に含まれるページング通知先の無線通信装置１２０の識別子をデータ処理部１４３より取得する。
【００９１】
（ステップＳ３０４）低消費電力モード制御部１４２が、管理テーブル１４８を参照する。
【００９２】
（ステップＳ３０５）低消費電力モード制御部１４２が、中継するページング通知を決定する。具体的には、ステップＳ３０３で取得した複数の無線通信装置１２０の識別子のうち、管理テーブル１４８にて、当該識別子に対応するフラグが１である識別子に対応するページング通知を中継すると決定し、当該識別子に対応するフラグが０である識別子に対応するページング通知は中継しないと決定する。従って、無線通信装置１００から送信されたページング通知のうち、その一部のみが中継処理の対象となる。
【００９３】
（ステップＳ３０６）低消費電力モード制御部１４２が、ステップＳ３０５で中継すると決定したページング通知が送信されるフレーム位置に基づいて、動作パラメータΔＴ１を決定する。ΔＴ１は、無線送信処理部１７０の間欠動作中の動作期間を示す。
【００９４】
この時、図１８に示すように、中継すると決定されたページング通知が存在しないフレーム期間はΔＴ１に含まれない。
【００９５】
（ステップＳ３０７）中継すると決定されたページング通知が、所定のフレームにて送信される。
【００９６】
（ステップＳ３０８）必要に応じて、ページング応答受信処理が行われる。必要に応じてとは、無線通信装置１００から送信された複数のページング通知に含まれる動作指定に、ページング応答の要求や同期信号送信の要求が含まれている場合を意味する。
【００９７】
（ステップＳ３０９）管理テーブル１４８の更新処理を行う。更新処理については後述する。
【００９８】
（ステップＳ３１０）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ３０３に戻る。ステップＳ３０３〜Ｓ３０９の処理はＴｉｎｔ毎に繰り返される。
【００９９】
管理テーブル１４８の更新処理の一例を図１９に示すフローチャートを用いて説明する。
【０１００】
（ステップＳ３２１）無線受信処理部１６０及びデータ処理部１４３によって、無線通信装置１００から送信されたページング通知に含まれる動作指定に、ページング応答の要求や同期信号送信の要求など、無線信号の送信が要求されていた無線通信装置１２０を対象とし、この対象の無線通信装置１２０から送信された無線信号（応答）が検出できたか否かが確認される。無線通信装置１２０からの応答が検出できた場合はステップＳ３２２へ進み、検出できなかった場合はステップＳ３２３へ進む。
【０１０１】
（ステップＳ３２２）応答が検出できた無線通信装置１２０の識別子に対応するフラグを１に更新する。
【０１０２】
（ステップＳ３２３）応答が検出できなかった無線通信装置１２０の識別子に対応するフラグを０に更新する。
【０１０３】
このような処理を行うことで、無線通信装置１１０が送信（中継）したページング通知を受信することができると想定される無線通信装置１２０を中継対象とし、無線通信装置１１０が送信（中継）したページング通知を受信することができないと想定される無線通信装置１２０を中継対象から外すことができる。
【０１０４】
管理テーブルの更新処理の別の例を図２０に示すフローチャートを用いて説明する。なお、この場合、低消費電力モード制御部１４２がタイマＰ１を有しているものとする。
【０１０５】
（ステップＳ３３１）無線受信処理部１６０及びデータ処理部１４３によって、無線通信装置１００から送信された複数のページング通知に含まれる動作指定に、ページング応答の要求や同期信号送信の要求など、無線信号の送信が要求されていた無線通信装置１２０を対象とし、この対象の無線通信装置１２０から送信された無線信号（応答）が検出できたか否かが確認される。無線通信装置１２０からの応答が検出できた場合はステップＳ３２６へ進み、検出できなかった場合はステップＳ３３２へ進む。
【０１０６】
（ステップＳ３３２）応答が検出できなかった無線通信装置１２０に対応するタイマＰ１が起動中であるか否かが確認される。起動中である場合はステップＳ３３３へ進み、起動中でない場合はステップＳ３３４へ進む。
【０１０７】
（ステップＳ３３３）無線通信装置１２０のタイマＰ１に所定数を加えてタイマＰ１を更新する。
【０１０８】
（ステップＳ３３４）無線通信装置１２０のタイマＰ１を起動する。
【０１０９】
（ステップＳ３３５）タイマＰ１と所定の閾値Ｐ＿ｔｈとを比較する。タイマＰ１がＰ＿ｔｈよりも大きい場合は、ステップＳ３３６へ進み、タイマＰ１がＰ＿ｔｈ以下である場合は、ステップＳ３３８へ進む。
【０１１０】
（ステップＳ３３６）無線通信装置１２０のタイマＰ１をクリアする。
【０１１１】
（ステップＳ３３７）無線通信装置１２０の識別子に対応するフラグを１に更新する。
【０１１２】
（ステップＳ３３８）無線通信装置１２０の識別子に対応するフラグを０に更新する。
【０１１３】
このような動作を行うことで、ページング応答や同期信号などの無線信号を検出できた無線通信装置１２０、すなわち、無線通信装置１１０が中継したページング通知を受信することができると想定される無線通信装置１２０をページング通知の中継対象となる。また、無線通信装置１１０が中継したページング通知を受信することができると想定されず、かつ受信できないと判定されてから所定期間を経過した無線通信装置１２０も中継対象となる。
【０１１４】
図１８に示す例では、中継対象の無線通信装置１２０に対してページング通知を送信するフレームにおいて、Ｔｉｎｔ毎に当該フレームよりも所定のオフセット期間前に無線送信処理部１７０をオン状態とし、当該フレーム期間だけオン状態を継続するとともに、その他の期間では無線送信処理部１７０をオフ状態としている。
【０１１５】
次に、図６（ｂ）で説明したページング通知方法に対応する無線通信方法について図２１に示すフローチャート及び図２２に示すタイムチャートを用いて説明する。
【０１１６】
（ステップＳ３４１）低消費電力モード制御部１４２が、管理テーブル１４７に記憶されている無線通信装置１２０毎に、動作パラメータＴｓｔａｒｔ、Ｔｉｎｔを決定する。図２２に示す例では、Ｔｓｔａｒｔは、それぞれの無線通信装置１２０におけるページング通知フレームを示しており、Ｔｉｎｔは、それぞれの無線通信装置１２０毎に予め定められたページング通知の周期を示している。
【０１１７】
（ステップＳ３４２）低消費電力モード制御部１４２が、動作パラメータΔＴ１を決定する。ΔＴ１は、無線送信処理部１７０の間欠動作中の動作期間を示す。
【０１１８】
（ステップＳ３４３）低消費電力モード制御部１４２が、無線送信処理部１７０の間欠動作制御を開始する。
【０１１９】
（ステップＳ３４４）低消費電力モード制御部１４２が、無線通信装置１００から送信されたページング通知の通知先となっている無線通信装置１２０の識別子をデータ処理部１４３から取得する。
【０１２０】
（ステップＳ３４５）低消費電力モード制御部１４２が、管理テーブル１４８を参照する。
【０１２１】
（ステップＳ３４６）低消費電力モード制御部１４２が、中継するページング通知を決定する。具体的には、ステップＳ３４４で取得した複数の無線通信装置１２０の識別子のうち、管理テーブル１４８にて、当該識別子に対応するフラグが１である識別子に対応するページング通知を中継すると決定し、当該識別子に対応するフラグが０である識別子に対応するページング通知は中継しないと決定する。
【０１２２】
（ステップＳ３４７）中継すると決定されたページング通知が、所定のフレームにて送信される。
【０１２３】
（ステップＳ３４８）必要に応じて、ページング応答受信処理が行われる。必要に応じてとは、無線通信装置１００から送信されたページング通知に含まれる動作指定に、ページング応答の要求や同期信号送信の要求が含まれている場合を意味する。
【０１２４】
（ステップＳ３４９）管理テーブル１４８の更新処理を行う。更新処理は図１９や図２０に示すフローチャートで説明されるような処理である。
【０１２５】
（ステップＳ３５０）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ３４４に戻る。ステップＳ３４４〜Ｓ３４９の処理はＴｉｎｔ毎に繰り返される。
【０１２６】
このような動作を行うことで、ページング応答や同期信号などの無線信号を検出できた無線通信装置１２０、すなわち、無線通信装置１１０が中継したページング通知を受信することができると想定される無線通信装置１２０がページング通知の中継対象となる。図２２に示す例では、中継対象の無線通信装置１２０に対するページング通知を送信するフレームにおいて、Ｔｉｎｔ毎に当該フレームよりも所定のオフセット期間前に無線送信処理部１７０をオン状態とし、当該フレーム期間だけオン状態を継続するとともに、その他の期間では無線送信処理部１７０をオフ状態とする。
【０１２７】
上述のように、低消費電力モードでは、ページング通知を中継処理する際に無線信号を送信する可能性があるが、図５を用いて説明したように、ページング通知は、無線通信装置１００の単位ではなく、ページンググループ単位にて管理されることから、無線通信装置１１０が中継したページング通知を受信できる無線通信装置１２０は限られている。本実施形態では、無線通信装置１１０は、ページング通知を受信できる無線通信装置１２０に対してのページング通知についてのみ中継処理を行い、無線送信処理部１７０を動作させる。従って、その他の期間では無線送信処理部１７０へのクロック供給や電源供給を停止することができ、当該無線通信装置１１０の消費電力を低減することが可能になる。
【０１２８】
このように、本実施形態による無線通信装置は、無線信号の中継処理を低消費電力で行うことができる。
【０１２９】
（第４の実施形態）図２３に本発明の第４の実施形態に係る無線通信装置のブロック構成を示す。本実施形態に係る無線通信装置は、図１５に示す上記第３の実施形態に係る無線通信装置の制御部１４０にさらに記憶部１４９を設けた構成となっている。記憶部１４９以外の構成は上記第３の実施形態と同様であるため、説明を省略する。
【０１３０】
記憶部１４９は、無線通信装置１００から送信されたページング通知の通知先となる無線通信装置１２０の識別子を記憶することができる。記憶部１４９への識別子の登録／削除は、低消費電力モード制御部１４２によって行われる。
【０１３１】
本実施形態による無線通信装置の低消費電力モード時の動作を図２４及び図２５に示すフローチャートを用いて説明する。なお、図２４は図６（ａ）で説明したページング通知方法に対応するものであり、図２５は図６（ｂ）で説明したページング通知方法に対応するものである。それぞれ、上記第３の実施形態における低消費電力モード時の動作（図１７、図２１）において、管理テーブル１４８の参照ステップ（ステップＳ３０４、Ｓ３４５）の前に、管理テーブル１４８の再設定処理（ステップＳ４０１）を行うものとなっている。
【０１３２】
管理テーブル１４８の再設定処理について図２６に示すフローチャートを用いて説明する。
【０１３３】
（ステップＳ４１１）低消費電力モード制御部１４２が、記憶部１４９を参照する。また、低消費電力モード制御部１４２が、無線通信装置１００から送信されたページング通知の通知先となっている無線通信装置１２０の識別子をデータ処理部１４３から取得する。
【０１３４】
（ステップＳ４１２）低消費電力モード制御部１４２が、ステップＳ４１１で取得した識別子のうち１つを選択し、選択した識別子が記憶部１４９に記憶されているか否かを確認する。記憶されている場合はステップＳ４１３へ進み、記憶されていない場合はステップＳ４１５へ進む。
【０１３５】
（ステップＳ４１３）低消費電力モード制御部１４２が、この（ステップＳ４１２で選択した）識別子に対応する管理テーブル１４８のフラグを１に更新する。
【０１３６】
（ステップＳ４１４）低消費電力モード制御部１４２が、この識別子を記憶部１４９から削除する。
【０１３７】
（ステップＳ４１５）低消費電力モード制御部１４２が、この（ステップＳ４１２で選択した）識別子を記憶部４１５に登録する。
【０１３８】
（ステップＳ４１６）すべての識別子が選択された場合はステップＳ４１７へ進み、まだ選択されていない識別子がある場合はステップＳ４１２へ戻る。
【０１３９】
（ステップＳ４１７）低消費電力モード制御部１４２が、ステップＳ４１１で取得した識別子以外の識別子を記憶部１４９から削除する。
【０１４０】
このような動作をすることで、無線通信装置１００から連続して同一の無線通信装置１２０へページング通知が送信された場合、この無線通信装置１２０が中継対象と無線通信装置となる。
【０１４１】
上記第３の実施形態では、中継したページング通知を受信することができると想定される無線通信装置１２０をページング通知の中継対象とすることで、無線通信装置１１０の消費電力を削減していた。しかし、上記第３の実施形態では、例えば無線通信装置１２０が移動して、無線通信装置１１０の通信エリア１１１に入ってきた場合に、無線通信装置１１０からページング通知が送信（中継）されないといった状況を招くおそれがあった。
【０１４２】
これに対し、本実施形態では、複数回（図２６に示す例では２回）連続して無線通信装置１００からページング通知が送信された無線通信装置１２０は、確実に中継処理の対象に含められ、上記のような不具合が生じる可能性を低減できる。
【０１４３】
（第５の実施形態）本発明の第５の実施形態に係る無線通信装置の低消費電力モード時の動作を図２７に示すフローチャート及び図２８に示すタイムチャートを用いて説明する。なお、無線通信装置は上記第１の実施形態と同様の構成であり、低消費電力モード時の動作とは、図３に示す動作モード制御部１４２が低消費電力モードを選択した場合の動作である。但し、上記第１の実施形態では無線送信処理部１７０のみ間欠動作制御していたが、本実施形態では無線受信処理部１６０も間欠動作制御するものである。
【０１４４】
なお、図２７、図２８は、図６（ａ）で説明したページング通知方法に対応するものである。
【０１４５】
（ステップＳ５０１）低消費電力モード制御部１４２が、動作パラメータＴｓｔａｒｔ、Ｔｉｎｔを決定する。図２８に示す例では、Ｔｓｔａｒｔは、ページング通知を送信する可能性がある予め定められた複数のフレームにおける先頭のフレームを示しており、Ｔｉｎｔは、予め定められたページング通知の周期を示している。
【０１４６】
（ステップＳ５０２）低消費電力モード制御部１４２が、動作パラメータΔＴ１、ΔＴ２を決定する。ΔＴ１は、無線送信処理部１７０の間欠動作中の動作期間を示し、ΔＴ２は、無線受信処理部１６０の間欠動作中の動作期間を示す。
【０１４７】
図２８に示す例では、ΔＴ１として、ページング通知を送信する可能性がある予め定められた複数のフレームの最後のフレーム及び当該フレームより前に付加するオフセットの期間が定義されている。
【０１４８】
また、図２８に示す例では、ΔＴ２として、ページング通知を送信する可能性がある予め定められた複数のフレームと、当該複数のフレームの先頭のフレームより前に付加するオフセットと、当該複数のフレームの最後のフレームの後に付加するオフセットとが定義されている。
【０１４９】
当該複数のフレームの先頭のフレームより前に付加するオフセットは、オフ状態からオン状態への移行に要する期間、及び無線通信装置１００から送信されたページング通知を受信する期間である。図８、図９で説明したように、無線通信装置１００は、ページング通知の送信先である無線通信装置１２０に対して、当該ページング通知が送信されるべきフレームよりＭフレーム（Ｍは１以上任意の自然数）前に、当該ページング通知を無線通信装置１１０に対して送信するためである。図２８の例ではＭ＝１としている。
【０１５０】
当該複数のフレームの最後のフレームの後に付加するオフセットは、無線通信装置１２０がページング応答などの無線信号を送信する可能性のある期間である。
【０１５１】
（ステップＳ５０３）低消費電力モード制御部１４２が、無線送信処理部１７０及び無線受信処理部１６０の間欠動作制御を開始する。ここで、間欠動作制御とは、無線送信処理部１６０及び無線受信処理部１７０のオン状態とオフ状態を制御するものであり、オン状態では、無線送信処理部１７０、無線受信処理部１６０に対してクロック及び電源の供給を行うが、オフ状態では、無線送信処理部１７０、無線受信処理部１６０に対してクロック及び電源の供給を停止する。
【０１５２】
（ステップＳ５０４）低消費電力モード制御部１４２が、動作モード制御部１４１によって動作モードが低消費電力モードから通常モードに移行すると決定されたか否か監視する。通常モードへ移行すると決定されるまで間欠動作制御が行われる。通常モードへ移行すると決定された場合は処理を終了する。
【０１５３】
本実施形態による無線通信装置は、このような動作を行うことで、図２８に示すように、Ｔｉｎｔ毎に、Ｔｓｔａｒｔフレームの所定のオフセット期間前に無線送信処理部１７０をオン状態とし、ページング通知を送信する可能性がある予め定められた複数のフレーム期間だけオン状態を継続するとともに、その他の期間では無線送信処理部１７０をオフ状態とする。
【０１５４】
また、無線通信装置は、Ｔｉｎｔ毎に、Ｔｓｔａｒｔフレームの所定のオフセット期間前に無線受信処理部１６０をオン状態とし、ページング通知を送信する可能性がある予め定められた複数のフレーム期間及びその後の所定のオフセット期間だけオン状態を継続するとともに、その他の期間では無線受信処理部１６０をオフ状態とする。
【０１５５】
既に述べたように、低消費電力モードでは、ページング通知を中継処理する際に無線信号を送信する可能性があり、その前後にて無線信号を受信する可能性がある。しかし、ページング通知を中継処理する可能性がある期間は予め定められており、その他の期間では無線信号を送信及び受信することがないため、当該期間に無線送信処理部１７０及び無線受信処理部１６０へのクロック供給や電源供給を停止することにより、当該無線通信装置の消費電力を低減することが可能になる。
【０１５６】
続いて、図６（ｂ）で説明したページング通知方法に対応する本実施形態に係る無線通信装置の低消費電力モード時の動作を図２９に示すフローチャート及び図３０に示すタイムチャートを用いて説明する。
【０１５７】
（ステップＳ５１１）低消費電力モード制御部１４２が、管理テーブル１４７に記憶されている無線通信装置１２０毎に、動作パラメータＴｓｔａｒｔ、Ｔｉｎｔを決定する。図３０に示す例では、Ｔｓｔａｒｔは、それぞれの無線通信装置１２０におけるページング通知フレームを示しており、Ｔｉｎｔは、それぞれの無線通信装置１２０毎に予め定められたページング通知の周期を示している。
【０１５８】
（ステップＳ５１２）低消費電力モード制御部１４２が、動作パラメータΔＴ１、ΔＴ２を決定する。ΔＴ１は、無線送信処理部１７０の間欠動作中の動作期間を示し、ΔＴ２は、無線受信処理部１６０の間欠動作中の動作期間を示す。ΔＴ１、ΔＴ２は図２８に示す例と同様に決定する。図３０に示すように、複数のΔＴ２期間が重なる場合は、重なる期間についてはオン状態を継続させる。
【０１５９】
（ステップＳ５１３）低消費電力モード制御部１４２が、無線送信処理部１７０及び無線受信処理部１６０の間欠動作制御を開始する。間欠動作制御はステップＳ５０３で説明したものと同様である。
【０１６０】
（ステップＳ５１４）低消費電力モード制御部１４２が、動作モード制御部１４１によって動作モードが低消費電力モードから通常モードに移行すると決定されたか否か監視する。通常モードへ移行すると決定されるまで間欠動作制御が行われる。通常モードへ移行すると決定された場合は処理を終了する。
【０１６１】
本実施形態の無線通信装置は、このような動作を行うことで、図３０に示すように、管理テーブル１４７に記憶されているそれぞれの無線通信装置１２０のＴｉｎｔ毎に、Ｔｓｔａｒｔフレームの所定のオフセット期間前に無線送信処理部１７０をオン状態とし、ページング通知フレーム期間だけオン状態を継続するとともに、その他の期間では無線送信処理部１７０をオフ状態とする。
【０１６２】
また、管理テーブル１４７に記憶されているそれぞれの無線通信装置１２０のＴｉｎｔ毎に、Ｔｓｔａｒｔフレームの所定のオフセット期間前に無線受信処理部１６０をオン状態とし、ページング通知フレーム及びその後の所定のオフセット期間だけオン状態を継続するとともに、その他の期間では無線受信処理部１６０をオフ状態とする。
【０１６３】
無線送信処理部１７０、無線受信処理部１６０には、それぞれのオフ状態の期間にクロック供給及び電源供給が停止するため、ページング通知の中継を行う無線通信装置の消費電力を低減することが可能になる。
【０１６４】
このように、本実施形態による無線通信装置は、無線信号の中継処理を低消費電力で行うことができる。
【０１６５】
本実施形態による無線通信装置は、図３１に示すように上記第４の実施形態に係る無線通信装置にさらにアンテナ１８０が受信した信号の電力を検出する電力検出部１９０を設けた構成としてもよい。電力検出部１９０は、無線通信装置１２０から無線信号が送信されたことを検出できる。これにより、無線受信処理部１６０がオフ状態である時に、無線通信装置１２０から無線信号が送信された場合、当該無線信号を受信するために無線受信処理部１６０をオン状態に制御することが可能となる。
【０１６６】
（第６の実施形態）本発明の第６の実施形態に係る無線通信装置の低消費電力モード時の動作を図３２に示すフローチャート及び図３３に示すタイムチャートを用いて説明する。なお、無線通信装置は上記第１の実施形態と同様の構成又は図３１に示すような構成であり、低消費電力モード時の動作とは、図３に示す動作モード制御部１４２が低消費電力モードを選択した場合の動作である。但し、上記第１の実施形態では無線送信処理部１７０のみ間欠動作制御していたが、本実施形態では無線受信処理部１６０も間欠動作制御するものである。
【０１６７】
なお、図３２、図３３は、図６（ａ）で説明したページング通知方法に対応するものである。
【０１６８】
（ステップＳ６０１）低消費電力モード制御部１４２が、動作パラメータＴｓｔａｒｔ、Ｔｉｎｔを決定する。図３３に示す例では、Ｔｓｔａｒｔは、ページング通知を送信する可能性がある予め定められた複数のフレームにおける先頭のフレームを示しており、Ｔｉｎｔは、予め定められたページング通知の周期を示している。
【０１６９】
（ステップＳ６０２）低消費電力モード制御部１４２が、動作パラメータΔＴ１を決定する。ΔＴ１は、無線送信処理部１７０の間欠動作中の動作期間を示す。
【０１７０】
図３３に示す例では、ΔＴ１として、ページング通知を送信する可能性がある予め定められた複数のフレームの最後のフレーム及び当該フレームより前に付加するオフセットの期間が定義されている。
【０１７１】
（ステップＳ６０３）低消費電力モード制御部１４２が、無線送信処理部１７０及び無線受信処理部１６０の間欠動作制御を開始する。ここで、間欠動作制御とは、無線送信処理部１６０及び無線受信処理部１７０のオン状態とオフ状態を制御するものであり、オン状態では、無線送信処理部１７０、無線受信処理部１６０に対してクロック及び電源の供給を行うが、オフ状態では、無線送信処理部１７０、無線受信処理部１６０に対してクロック及び電源の供給を停止する。
【０１７２】
（ステップＳ６０４）低消費電力モード制御部１４２が、無線通信装置１００から送信されたページング通知に含まれるページング通知先の無線通信装置１２０の識別子をデータ処理部１４３から取得する。
【０１７３】
（ステップＳ６０５）低消費電力モード制御部１４２が、無線通信装置１００から送信されたそれぞれのページング通知における動作指定をデータ処理部１４３から取得する。
【０１７４】
（ステップＳ６０６）低消費電力モード制御部１４２が、動作パラメータΔＴ２を決定する。ΔＴ２は、無線受信処理部１６０の間欠動作中の動作期間を示す。
【０１７５】
図３３に示す例では、ΔＴ２として、各フレームにおけるページング通知の有無及びそれぞれのページング通知における動作指定を考慮し、ページング通知を送信する可能性がある予め定められた複数のフレームの先頭のフレームより所定のオフセット期間前から、無線通信装置１２０に対してページング応答や同期信号などの無線信号の送信を要求するページング通知を送信する最後のフレームより所定のオフセット期間後までが定義されている。これにより、ΔＴ２は予め定められたページング通知の周期毎に異なることとなる。
【０１７６】
当該複数のフレームの先頭のフレームより前に付加するオフセットは、オフ状態からオン状態への移行に要する期間、及び無線通信装置１００から送信されたページング通知を受信する期間である。図８、図９で説明したように、無線通信装置１００は、ページング通知の送信先である無線通信装置１２０に対して、当該ページング通知が送信されるべきフレームよりＭフレーム（Ｍは１以上任意の自然数）前に、当該ページング通知を無線通信装置１１０に対して送信するためである。図３３の例ではＭ＝１としている。
【０１７７】
「無線信号の送信を要求するページング通知を送信する最後のフレームより所定のオフセット期間」とは、無線通信装置１２０がページング応答などの無線信号を送信する可能性のある期間である。
【０１７８】
（ステップＳ６０７）ページング通知が所定のフレームにて送信される。
【０１７９】
（ステップＳ６０８）ステップＳ６０５で取得した動作指定に応じたページング応答の受信処理が行われる。
【０１８０】
（ステップＳ６０９）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ６０４に戻る。ステップＳ６０４〜Ｓ６０８の処理はＴｉｎｔ毎に繰り返される。
【０１８１】
このような動作を行うことで、本実施形態による無線通信装置は、図３３に示すように、Ｔｉｎｔ毎に、Ｔｓｔａｒｔフレームの所定のオフセット期間前に無線送信処理部１７０をオン状態とし、ページング通知を送信する可能性がある予め定められた複数のフレーム期間だけオン状態を継続するとともに、その他の期間では無線送信処理部１７０をオフ状態とする。
【０１８２】
また、本実施形態による無線通信装置は、Ｔｉｎｔ毎に、Ｔｓｔａｒｔフレームの所定のオフセット期間前に無線受信処理部１６０をオン状態とし、無線通信装置１２０がページング応答などの無線信号を送信する可能性のある最後のフレームより所定のオフセット期間後までオン状態を継続するとともに、その他の期間では無線受信処理部１６０をオフ状態とする。
【０１８３】
既に述べたように、低消費電力モードでは、ページング通知を中継処理する際に無線信号を送信する可能性があり、中継処理の前後にて無線信号を受信する可能性がある。しかし、中継処理するページング通知が存在しないフレームや、ページング応答や同期信号などの無線信号の送信を要求するページング通知が存在しないフレームについては、その後の期間でページング応答などの無線信号を受信することがない。従って、当該期間に無線受信処理部１６０へのクロック供給や電源供給を停止することにより、上記第５の実施形態と比較して、さらに無線通信装置１１０の消費電力を低減することが可能になる。
【０１８４】
続いて、図６（ｂ）で説明したページング通知方法に対応する本実施形態に係る無線通信装置の低消費電力モード時の動作を図３４に示すフローチャート及び図３５に示すタイムチャートを用いて説明する。
【０１８５】
（ステップＳ６１１）低消費電力モード制御部１４２が、管理テーブル１４７に記憶されている無線通信装置１２０毎に、動作パラメータＴｓｔａｒｔ、Ｔｉｎｔを決定する。
【０１８６】
（ステップＳ６１２）低消費電力モード制御部１４２が、動作パラメータΔＴ１を決定する。ΔＴ１は、無線送信処理部１７０の間欠動作中の動作期間を示す。
【０１８７】
（ステップＳ６１３）低消費電力モード制御部１４２が、無線送信処理部１７０及び無線受信処理部１６０の間欠動作制御を開始する。間欠動作制御はステップＳ６０３で説明したものと同様である。
【０１８８】
（ステップＳ６１４）低消費電力モード制御部１４２が、無線通信装置１００から送信されたページング通知に含まれるページング通知先の無線通信装置１２０の識別子をデータ処理部１４３から取得する。
【０１８９】
（ステップＳ６１５）低消費電力モード制御部１４２が、無線通信装置１００から送信されたそれぞれのページング通知における動作指定をデータ処理部１４３から取得する。
【０１９０】
（ステップＳ６１６）低消費電力モード制御部１４２が、動作パラメータΔＴ２を決定する。ΔＴ２は、無線受信処理部１６０の間欠動作中の動作期間を示す。
【０１９１】
図３５の例では、ΔＴ２として、それぞれの無線通信装置１２０に対するページング通知の有無及び動作指定を考慮し、無線通信装置１２０に対してページング応答や同期信号などの無線信号の送信を要求するページング通知を送信するフレームの所定のオフセット期間前から、当該フレームの所定のオフセット期間後までが定義されている。
【０１９２】
なお、ΔＴ２は、複数の無線通信装置１２０に共通でもよく、また、無線通信装置１２０毎に異なってもよい。また、複数の無線通信装置１２０（又はフレーム）において、ΔＴ２期間が重なる場合には、無線受信処理部１６０のオン状態が継続するようΔＴ２を決定することが好ましい。
【０１９３】
（ステップＳ６１７）ページング通知が所定のフレームにて送信される。
【０１９４】
（ステップＳ６１８）ステップＳ６１５で取得した動作指定に応じたページング応答の受信処理が行われる。
【０１９５】
（ステップＳ６１９）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ６１４に戻る。ステップＳ６１４〜Ｓ６１８の処理はＴｉｎｔ毎に繰り返される。
【０１９６】
このような動作を行うことで、本実施形態による無線通信装置は、図３５に示すように、管理テーブル１４７に記憶されているそれぞれの無線通信装置１２０のＴｉｎｔ毎に、Ｔｓｔａｒｔフレームの所定のオフセット期間前に無線送信処理部１７０をオン状態とし、ページング通知フレーム期間だけオン状態を継続するとともに、その他の期間では無線送信処理部１７０をオフ状態とする。
【０１９７】
また、本実施形態による無線通信装置は、管理テーブル１４７に記憶されているそれぞれの無線通信装置１２０のＴｉｎｔ毎に、Ｔｓｔａｒｔフレームの所定のオフセット期間前に無線受信処理部１２０をオン状態とし、当該フレームはオン状態を継続し、無線通信装置１２０がページング応答などの無線信号を送信する可能性のある場合には当該フレームより所定のオフセット期間後までオン状態を継続するとともに、その他の期間では無線受信処理部１６０をオフ状態とする。
【０１９８】
この場合も、上記第５の実施形態と比較して、さらに無線通信装置１１０の消費電力を低減することが可能になる。
【０１９９】
このように、本実施形態による無線通信装置は、無線信号の中継処理を低消費電力で行うことができる。
【０２００】
（第７の実施形態）本発明の第７の実施形態に係る無線通信装置の低消費電力モード時の動作を図３６に示すフローチャート及び図３７に示すタイムチャートを用いて説明する。なお、無線通信装置は上記第３の実施形態と同様の構成又は図３１に示すような構成であり、低消費電力モード時の動作とは、図３に示す動作モード制御部１４２が低消費電力モードを選択した場合の動作である。但し、上記第１の実施形態では無線送信処理部１７０のみ間欠動作制御していたが、本実施形態では無線受信処理部１６０も間欠動作制御するものである。
【０２０１】
なお、図３６、図３７は、図６（ａ）で説明したページング通知方法に対応するものである。
【０２０２】
（ステップＳ７０１）低消費電力モード制御部１４２が、動作パラメータＴｓｔａｒｔ、Ｔｉｎｔを決定する。図３７に示す例では、Ｔｓｔａｒｔは、ページング通知を送信する可能性がある予め定められた複数のフレームにおける先頭のフレームを示しており、Ｔｉｎｔは、予め定められたページング通知の周期を示している。
【０２０３】
（ステップＳ７０２）低消費電力モード制御部１４２が、無線送信処理部１７０及び無線受信処理部１６０の間欠動作制御を開始する。ここで、間欠動作制御とは、無線送信処理部１６０及び無線受信処理部１７０のオン状態とオフ状態を制御するものであり、オン状態では、無線送信処理部１７０、無線受信処理部１６０に対してクロック及び電源の供給を行うが、オフ状態では、無線送信処理部１７０、無線受信処理部１６０に対してクロック及び電源の供給を停止する。
【０２０４】
（ステップＳ７０３）低消費電力モード制御部１４２が、無線通信装置１００から送信されたページング通知に含まれるページング通知先の無線通信装置１２０の識別子をデータ処理部１４３から取得する。
【０２０５】
（ステップＳ７０４）低消費電力モード制御部１４２が、管理テーブル１４８を参照する。
【０２０６】
（ステップＳ７０５）低消費電力モード制御部１４２が、中継するページング通知を決定する。ここで、中継するページング通知の決定とは、ステップＳ７０３で取得した複数の無線通信装置１２０の識別子のうち、管理テーブル１４８にて、当該識別子に対応するフラグが１である識別子を含むページング通知を中継すると決定し、当該識別子に対応するフラグが０である識別子を含むページング通知は中継しないと決定するものである。従って、無線通信装置１００から送信されたページング通知のうち、その一部のみが中継処理の対象となる。
【０２０７】
（ステップＳ７０６）低消費電力モード制御部１４２が、中継すると決定したページング通知が送信されるフレーム位置に基づいて、動作パラメータΔＴ１及びΔＴ２を決定する。ΔＴ１は、無線送信処理部１７０の間欠動作中の動作期間を示し、ΔＴ２は、無線受信処理部１６０の間欠動作中の動作期間を示す。
【０２０８】
この時、図３６に示すように、中継すると決定されたページング通知が存在しないフレーム期間はΔＴ１に含まれない。また、中継すると決定されたページング通知が存在しないフレーム期間はΔＴ２の決定に考慮されない。これにより、ΔＴ１及びΔＴ２は予め定められたページング通知の周期毎に異なることとなる。
【０２０９】
（ステップＳ７０７）ページング通知が所定のフレームにて送信される。
【０２１０】
（ステップＳ７０８）必要に応じて、ページング応答受信処理が行われる。必要に応じてとは、無線通信装置１００から送信されたページング通知に含まれる動作指定に、ページング応答の要求や同期信号送信の要求が含まれている場合を意味する。
【０２１１】
（ステップＳ７０９）管理テーブル１４８の更新処理を行う。更新処理は図１９や図２０に示すフローチャートで説明されるような処理である。
【０２１２】
（ステップＳ７１０）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ７０３に戻る。ステップＳ７０３〜Ｓ７０９の処理はＴｉｎｔ毎に繰り返される。
【０２１３】
このような動作を行うことで、本実施形態による無線通信装置は、図３７に示すように、ページング応答や同期信号などの無線信号を検出できた無線通信装置１２０、すなわち、無線通信装置１１０が中継したページング通知を受信することができると想定される無線通信装置１２０をページング通知の中継対象とし、当該無線通信装置１２０に対するページング通知を送信するフレームにおいて、Ｔｉｎｔ毎に当該フレームよりも所定のオフセット期間前に無線送信処理部１７０をオン状態とし、当該フレーム期間だけオン状態を継続するとともに、その他の期間では無線送信処理部１７０をオフ状態とする。
【０２１４】
また、本実施形態による無線通信装置は、Ｔｉｎｔ毎に、Ｔｓｔａｒｔフレームの所定のオフセット期間前に無線受信処理部１６０をオン状態とし、中継対象の無線通信装置１２０に対するページング通知を送信する最後のフレームより所定のオフセット期間後までオン状態を継続するとともに、その他の期間では無線受信処理部１６０をオフ状態とする。
【０２１５】
既に述べたように、低消費電力モードでは、ページング通知を中継処理する際に無線信号を送信する可能性があり、中継処理の前後にて無線信号を受信する可能性があるが、図５を用いて説明したように、ページング通知は、無線通信装置１００の単位ではなく、ページンググループ単位にて管理される。
【０２１６】
従って、無線通信装置１１０が中継したページング通知を受信できる無線通信装置１２０は限られており、本動作例によると、中継対象として決定された無線通信装置１２０に対するページング通知の中継処理に限り、無線送信処理部１７０及び無線受信処理部１６０を動作させるため、その他の期間では無線送信処理部１７０及び無線受信処理部１６０へのクロック供給や電源供給を停止することができ、無線通信装置１１０の消費電力を低減することが可能になる。
【０２１７】
続いて、図６（ｂ）で説明したページング通知方法に対応する本実施形態に係る無線通信装置の低消費電力モード時の動作を図３８に示すフローチャート及び図３９に示すタイムチャートを用いて説明する。
【０２１８】
（ステップＳ７２１）低消費電力モード制御部１４２が、管理テーブル１４７に記憶されている無線通信装置１２０毎に、動作パラメータＴｓｔａｒｔ、Ｔｉｎｔを決定する。図３９に示す例では、Ｔｓｔａｒｔは、それぞれの無線通信装置１２０におけるページング通知フレームを示しており、Ｔｉｎｔは、それぞれの無線通信装置１２０毎に予め定められたページング通知の周期を示している。
【０２１９】
（ステップＳ７２２）低消費電力モード制御部１４２が、動作パラメータΔＴ１を決定する。ΔＴ１は、無線送信処理部１７０の間欠動作中の動作期間を示す。
【０２２０】
（ステップＳ７２３）低消費電力モード制御部１４２が、無線送信処理部１７０及び無線受信処理部１６０の間欠動作制御を開始する。間欠動作制御はステップＳ７０２で説明したものと同様である。
【０２２１】
（ステップＳ７２４）低消費電力モード制御部１４２が、無線通信装置１００から送信されたページング通知の通知先となっている無線通信装置１２０の識別子をデータ処理部１４３から取得する。
【０２２２】
（ステップＳ７２５）低消費電力モード制御部１４２が、管理テーブル１４８を参照する。
【０２２３】
（ステップＳ７２６）低消費電力モード制御部１４２が、中継するページング通知を決定する。具体的には、ステップＳ７２４で取得した複数の無線通信装置１２０の識別子のうち、管理テーブル１４８にて、当該識別子に対応するフラグが１である識別子に対応するページング通知を中継すると決定し、当該識別子に対応するフラグが０である識別子に対応するページング通知は中継しないと決定する。
【０２２４】
（ステップＳ７２７）低消費電力モード制御部１４２が、中継すると決定したページング通知が送信されるフレーム位置に基づいて、動作パラメータΔＴ２を決定する。ΔＴ２は、無線受信処理部１６０の間欠動作中の動作期間を示す。
【０２２５】
なお、本動作例では、複数の無線通信装置１２０に対して共通のΔＴ２を決定してもよく、無線通信装置１２０毎に異なるΔＴ２を決定してもよい。また、複数の無線通信装置１２０（ないしはフレーム）においてΔＴ２期間が重なる場合には、無線受信処理部１６０のオン状態が継続するようΔＴ２を決定することが好ましい。
【０２２６】
（ステップＳ７２８）中継すると決定されたページング通知が、対応する無線通信装置１２０へ、所定のフレームにて送信される。
【０２２７】
（ステップＳ７２９）必要に応じて、ページング応答受信処理が行われる。必要に応じてとは、無線通信装置１００から送信されたページング通知に含まれる動作指定に、ページング応答の要求や同期信号送信の要求が含まれている場合を意味する。
【０２２８】
（ステップＳ７３０）管理テーブル１４８の更新処理を行う。更新処理は図１９や図２０に示すフローチャートで説明されるような処理である。
【０２２９】
（ステップＳ７３１）低消費電力モード制御部１４２が、動作モード制御部１４１によって動作モードが低消費電力モードから通常モードに移行すると決定されたか否か監視する。通常モードへ移行すると決定された場合は処理を終了する。低消費電力モードのままで、かつ周期Ｔｉｎｔ経過した場合はステップＳ７２４に戻る。ステップＳ７２４〜Ｓ７３０の処理はＴｉｎｔ毎に繰り返される。
【０２３０】
このような動作を行うことで、本実施形態による無線通信装置は、図３９に示すように、ページング応答や同期信号などの無線信号を検出できた無線通信装置１２０、すなわち、無線通信装置１１０が中継したページング通知を受信することができると想定される無線通信装置１２０をページング通知の中継対象とする。そして、中継対象の無線通信装置１２０に対するページング通知が送信されるフレームにおいて、Ｔｉｎｔ毎に当該フレームよりも所定のオフセット期間前に無線送信処理部１７０をオン状態とし、当該フレーム期間だけオン状態を継続するとともに、その他の期間では無線送信処理部１７０をオフ状態とする。
【０２３１】
また、本実施形態による無線通信装置は、Ｔｉｎｔ毎に、Ｔｓｔａｒｔフレームの所定のオフセット期間前に無線受信処理部１６０をオン状態とし、中継対象の無線通信装置１２０に対するページング通知を送信する最後のフレームの所定のオフセット期間後までオン状態を継続するとともに、その他の期間では無線受信処理部１６０をオフ状態とする。
【０２３２】
従って、中継対象として決定された無線通信装置１２０に対するページング通知の中継処理に限り、無線送信処理部１７０及び無線受信処理部１６０を動作させるため、その他の期間では無線送信処理部１７０及び無線受信処理部１６０へのクロック供給や電源供給を停止することができ、無線通信装置１１０の消費電力を低減することが可能になる。
【０２３３】
このように、本実施形態による無線通信装置は、無線信号の中継処理を低消費電力で行うことができる。
【０２３４】
上述した実施形態で説明した無線通信装置の少なくとも一部は、ハードウェアで構成してもよいし、ソフトウェアで構成してもよい。ソフトウェアで構成する場合には、無線通信装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０２３５】
また、無線通信装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０２３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２３７】
【図１】本発明の第１の実施形態に係る無線通信システムの概略構成図である。
【図２】同第１の実施形態に係る無線通信装置のブロック構成図である。
【図３】同第１の実施形態に係る無線通信装置における制御部のブロック構成図である。
【図４】同第１の実施形態に係る管理テーブルの構成例を示す図である。
【図５】ページング通知の送信例を示す図である。
【図６】ページング通知の送信方法の例を説明する図である。
【図７】同第１の実施形態に係る無線通信システムにおけるフレームフォーマットの一例を示す図である。
【図８】中継処理を介してページング通知を行う場合のフレーム構成例を示す図である。
【図９】中継処理を介してページング通知を行う場合のシーケンス図である。
【図１０】同第１の実施形態に係る動作モード制御部の動作を説明するフローチャートである。
【図１１】同第１の実施形態に係る低消費電力モード制御部の動作を説明するフローチャートである。
【図１２】低消費電力モード時の無線通信装置の動作を示すタイミングチャートである。
【図１３】本発明の第２の実施形態に係る制御部の動作を説明するフローチャートである。
【図１４】低消費電力モード時の無線通信装置の動作を示すタイミングチャートである。
【図１５】本発明の第３の実施形態に係る無線通信装置のブロック構成図である。
【図１６】同第３の実施形態に係る管理テーブルの構成例を示す図である。
【図１７】同第３の実施形態に係る低消費電力モード時の動作を説明するフローチャートである。
【図１８】低消費電力モード時の無線通信装置の動作を示すタイミングチャートである。
【図１９】管理テーブルの更新処理の一例を説明するフローチャートである。
【図２０】管理テーブルの更新処理の一例を説明するフローチャートである。
【図２１】同第３の実施形態に係る低消費電力モード時の動作を説明するフローチャートである。
【図２２】低消費電力モード時の無線通信装置の動作を示すタイミングチャートである。
【図２３】本発明の第４の実施形態に係る無線通信装置のブロック構成図である。
【図２４】同第４の実施形態に係る低消費電力モード時の動作を説明するフローチャートである。
【図２５】同第４の実施形態に係る低消費電力モード時の動作を説明するフローチャートである。
【図２６】管理テーブルの再設定処理の一例を説明するフローチャートである。
【図２７】本発明の第５の実施形態に係る低消費電力モード時の動作を説明するフローチャートである。
【図２８】低消費電力モード時の無線通信装置の動作を示すタイミングチャートである。
【図２９】同第５の実施形態に係る低消費電力モード時の動作を説明するフローチャートである。
【図３０】低消費電力モード時の無線通信装置の動作を示すタイミングチャートである。
【図３１】変形例による無線通信装置のブロック構成図である。
【図３２】本発明の第６の実施形態に係る低消費電力モード時の動作を説明するフローチャートである。
【図３３】低消費電力モード時の無線通信装置の動作を示すタイミングチャートである。
【図３４】同第６の実施形態に係る低消費電力モード時の動作を説明するフローチャートである。
【図３５】低消費電力モード時の無線通信装置の動作を示すタイミングチャートである。
【図３６】本発明の第７の実施形態に係る低消費電力モード時の動作を説明するフローチャートである。
【図３７】低消費電力モード時の無線通信装置の動作を示すタイミングチャートである。
【図３８】同第７の実施形態に係る低消費電力モード時の動作を説明するフローチャートである。
【図３９】低消費電力モード時の無線通信装置の動作を示すタイミングチャートである。
【符号の説明】
【０２３８】
１００、１１０、１２０、１３０  無線通信装置
１０１、１１１  無線通信エリア
１４０  制御部
１５０  無線通信処理部
１６０  無線受信処理部
１７０  無線送信処理部
【図１】
2010147976.tif 000003
【図２】
2010147976.tif 000004
【図３】
2010147976.tif 000005
【図４】
2010147976.tif 000006
【図５】
2010147976.tif 000007
【図６】
2010147976.tif 000008
【図７】
2010147976.tif 000009
【図８】
2010147976.tif 000010
【図９】
2010147976.tif 000011
【図１０】
2010147976.tif 000012
【図１１】
2010147976.tif 000013
【図１２】
2010147976.tif 000014
【図１３】
2010147976.tif 000015
【図１４】
2010147976.tif 000016
【図１５】
2010147976.tif 000017
【図１６】
2010147976.tif 000018
【図１７】
2010147976.tif 000019
【図１８】
2010147976.tif 000020
【図１９】
2010147976.tif 000021
【図２０】
2010147976.tif 000022
【図２１】
2010147976.tif 000023
【図２２】
2010147976.tif 000024
【図２３】
2010147976.tif 000025
【図２４】
2010147976.tif 000026
【図２５】
2010147976.tif 000027
【図２６】
2010147976.tif 000028
【図２７】
2010147976.tif 000029
【図２８】
2010147976.tif 000030
【図２９】
2010147976.tif 000031
【図３０】
2010147976.tif 000032
【図３１】
2010147976.tif 000033
【図３２】
2010147976.tif 000034
【図３３】
2010147976.tif 000035
【図３４】
2010147976.tif 000036
【図３５】
2010147976.tif 000037
【図３６】
2010147976.tif 000038
【図３７】
2010147976.tif 000039
【図３８】
2010147976.tif 000040
【図３９】
2010147976.tif 000041